(57)【特許請求の範囲】
【請求項１】
大バーナと中バーナという発熱量の異なるバーナを左右に配置するガス調理器において、対応するこんろの点火、消火、火力調節という使用者の意図を電気信号に変換する操作部と、電気信号を受け対応するこんろの電動駆動部を駆動させる制御基板と、電動駆動部により駆動されガス量を変化させるガス流量調整部と、電動駆動部とガス流量調整部を対応するこんろと同数だけ備えた器具栓と、器具栓から各こんろへガスを供給する鋼管とを備え、器具栓を共通とし、鋼管のみ変えることにより大バーナを左、又は右に配置する２種類の仕様を構成するガス調理器。
【請求項２】
制御基板を組み込んだ制御基板ケースを、制御基板が器具栓側に向き合う方向に器具栓上部に設置した請求項１記載のガス調理器。
【請求項３】
制御基板ケースの大きさを、複数のガス流量調整部より大きくした請求項２記載のガス調理器。
【発明の詳細な説明】
【０００１】
【発明の属する技術分野】
本発明は、大バーナと中バーナという発熱量の異なるバーナを左右に配置する卓上型ガス調理器に関するものである。
【０００２】
【従来の技術】
従来のこの種のガス調理器を図８、図９に示す。図８は従来のガス調理器の内部構造透視図、図９は従来のガス調理器の作動原理図を示す。
【０００３】
図８に示す如く、従来のガス調理器は器具本体上面左側の左こんろ２１と、右側の右こんろ２２と、器具本体前面のグリル２３と操作部２４からなる。図８では、左こんろ２１が右こんろ２２の約２倍の発熱量を持つ仕様としている。操作部２４には、左側から順に、左こんろ用点火ボタン２１ａ、右こんろ用点火ボタン２２ａ、グリル用点火ボタン２３ａが設けられている。
【０００４】
次に、内部構成について説明する。器具内部の操作部後方には器具栓２５があり、ガスカン口２６からガスは器具栓２５に供給される。器具栓２５は各々のこんろに対応するガスコック２１ｂ、２２ｂ、２３ｂから構成されている。左こんろ用ガスコック２１ｂは左こんろ用点火ボタン２１ａと直結され、点火ボタン２１ａと連動してガスの開閉を行い、鋼管２１ｃを介して左こんろ２１にガスを供給する。右こんろ２２、グリル２３も同様である。
【０００５】
次に図９により、作動原理を説明する。右こんろ用点火ボタン２２ａを押すと、連動して右こんろ用ガスコック２２ｂの複数の弁が開き、ガスは右こんろ用鋼管２２ｃにて、右こんろ２２に供給される。同時に点火ボタン２２ａに連動して点火スイッチ２２ｄから制御基板２６へ導通信号が伝わり、制御基板２６から高圧放電が右こんろ２２へ出力され、ガスを点火させる。右こんろ２２へ供給するガス量はガスコック２２ｂのガス通路に、火力調整つまみ２２ｅに連動して動くニードル２２ｆの先端を挿入することによって、通過面積を変化させ、ガス量を変化させる構成となっている。ニードル２２ｆ先端の中心には通過口２２ｇが設けられ、ニードル２２ｆの先端外周がガス通路を塞いでも、最小量のガスが流れるような構成になっている。こんろの発熱量や、ガス種によって、燃焼能力の違いからニードルの通過口２２ｇの口径はそれぞれ異なる。
【０００６】
なお、図８では右こんろ２２に中バーナを搭載しているが、卓上型ガス調理器においては、設置条件として台所のガス置台の側面の壁により、壁と反対側に大バーナを持つ器具を設置するのが基本であり、一般的に、同一機種において、大バーナを右、または左と左右２種類の仕様を製造している。
【０００７】
【発明が解決しようとする課題】
しかしながら、上記従来の卓上型のガス調理器では、左右２種類の仕様を製造するにあたり、ガスコックは操作部の点火ボタンに直結連動し、かつ発熱量、ガス種によりニードルが異なるため、器具栓もまた左右仕様を作らなければならず、サービス等で国内の７ガス種（ＬＰ、１３Ａ、Ｌ１、Ｌ２、Ｌ３、６Ａ、５Ｃ）の器具栓を全て保管する場合、１４種類の器具栓を保管しなければならず、保管部品の種類が多いといった課題があった。
【０００８】
【課題を解決するための手段】
本発明は、上記課題を解決するために、対応するこんろの点火、消火、火力調節という使用者の意図を電気信号に変換する操作部と、この操作部からの信号に基づいてガス流量を変化させるガス流量調整部とで構成し、この器具柱をこんろと同数だけ備え、バーナを左、又は右に配置する左右２種類の仕様を製造するにあたり、器具栓を共通とし、器具栓から各こんろへガスを供給する鋼管のみ変える構成としたものである。
【０００９】
上記発明によれば、器具栓が左右仕様で共用できるので、保管部品の種類を減らすことが出来る。
【００１０】
【発明の実施の形態】
本発明は、大バーナと中バーナという発熱量の異なるバーナを左右に配置するガス調理器において、対応するこんろの点火、消火、火力調節という使用者の意図を電気信号に変換する操作部と、電気信号を受け対応するこんろの電動駆動部を駆動させる制御基板と、電動駆動部により駆動されガス量を変化させるガス流量調整部と、電動駆動部とガス流量調整部を対応するこんろと同数だけ備えた器具栓と、器具栓から各こんろへガスを供給する鋼管とを備え、大バーナを左、又は右に配置する左右２種類の仕様を製造するにあたり、器具栓を共通とし、鋼管のみ変えることにより左右２種類の仕様を構成するものである。
【００１１】
そして、サービス対応で国内全てのガス種の器具栓を保管しても、左右仕様で器具栓を共用できることにより、保有部品の種類を減らすことができる。
【００１２】
また、制御基板を、絶縁物からなる箱状の制御基板ケースに組み込み、かつ制御基板が器具栓側に向き合う方向に器具栓上部に設置した構成とするものである。
【００１３】
そして、制御基板の器具上面側は、箱状の制御基板ケースによって覆われるので、こんろから煮こぼれが器具内部に滴下しても、短絡等の原因となる制御基板への煮こぼれの滴下を防ぐことができる。
【００１４】
また、制御基板ケースを、ガス流量調整部と電動駆動部より大きくした構成とするものである。
【００１５】
そして、箱状の制御基板ケースがガス流量調整部と電動駆動部の上部を覆うので、こんろから煮こぼれが器具内部に滴下しても、腐食等の原因となるガス流量調整部及び電動駆動部への煮こぼれの滴下を防ぐことができる。
【００１６】
【実施例】
以下、本発明の実施例について図面を参照して説明する。
【００１７】
（実施例１）
図１は本発明のガス調理器の前面斜視図を示す。図１に示すように、本発明のガス調理器は器具本体上面左側の左こんろ１と、右側の右こんろ２と、器具本体前面のグリル３と操作部４からなる。右こんろ２は大バーナ５と五徳６から構成されている。左こんろ１は中バーナ７と、こんろセンサー８と、五徳６から構成されている。大バーナ５は中バーナ７の約２倍の発熱量を有する。操作部４には、左側から順に、左こんろ用点火スイッチ１ａ、右こんろ用点火スイッチ２ａ、グリル用点火スイッチ３ａが設けられている。また、左こんろ用点火スイッチ１ａの上側には、複数の左こんろ用火力調整スイッチ１ｂが設けられている。右こんろ用点火スイッチ２ａ、グリル用点火スイッチ３ａの上方にも同様に、複数の右こんろ用火力調整スイッチ２ｂ、複数のグリル用火力調整スイッチ３ｂが設けてある。
【００１８】
次に図２、図３、図４により内部構成について説明する。図２は本発明の側断面図を示す。図３は右こんろ２が大バーナ、左こんろ１が中バーナ仕様の上面要部断面図、図４は左こんろ１が大バーナ、右こんろが中バーナ仕様の上面要部断面図を示す。
【００１９】
図２に示すように、操作部４の下側には乾電池収納庫９と、収納庫ふた１０と、乾電池１１が設けてある。図３に示すように、器具内部の後方側には器具栓１２を設け、器具栓１２からは器具後方外側へガス管口１３を設けている。ガスは、ガス管口１３から器具栓１２に供給される。器具栓１２は、電磁弁１４と、中バーナ用ガスコック１５ａ、大バーナ用ガスコック１５ｂ、グリル用ガスコック１５ｃから構成されている。各ガスコック１５ａ、１５ｂ、１５ｃは、ガスの開閉及びガス量を変化させるガス量調整部１６ａ、１６ｂ、１６ｃと、ガス量調整部１６ａ、１６ｂ、１６ｃをステッピングモーターを用いて駆動させる電動駆動部１７ａ、１７ｂ、１７ｃからなる。左こんろ１へは、中バーナ用ガスコック１５ａから左中バーナ用鋼管１８ａを介してガスが供給される。右こんろ２へは、大バーナ用ガスコック１５ｂから右大バーナ用鋼管１８ｂを介してガスが供給される。グリル３へは、グリル用ガスコック１５ｃからグリル用鋼管１８ｃを介してガスが供給される。
【００２０】
器具栓１２の上部には、制御基板ケース１９を設けている。制御基板ケース１９は絶縁体で略箱状に形成され、箱内部には制御基板２０が組み込まれている。操作部４と制御基板２０は信号線（図示せず）により接続されている。また制御基板２０と電磁弁１４、制御基板２０と電動駆動部１７ａ、１７ｂ、１７ｃも信号線により接続されている（図示せず）。
【００２１】
図４では、左こんろ１に大バーナ５が搭載され、大バーナ用ガスコック１５ｂから左大バーナ用鋼管１８ｄを介してガスが供給され、右こんろ２には中バーナ７が搭載され、中バーナ用ガスコック１５ａから右標準バーナ用鋼管１８ｅを介してガスが供給される点が図３と異なる。
【００２２】
図５は本発明の作動原理図である。図１の左こんろを例としてあげている。操作部４の各スイッチ１ａ、１ｂ、２ａ、２ｂ、３ａ、３ｂは、信号線により制御基板２０に接続されている。使用者が左こんろ１を使用するときは、まず左こんろ用点火スイッチ１ａを押す。すると、制御基板２０に設けられたマイコンに導通信号が伝えられ、マイコンは電磁弁１４を開き、中バーナ用電動駆動部１７ａを駆動させ、中バーナ用ガス量調整部１６ａから左こんろ１に左中バーナ用鋼管１８ａを介してガスを供給する。ガスを供給後、制御基板２０は高圧放電を左こんろ１に出力し、高圧放電によりガスを点火させる。
【００２３】
上記構成において、現在、国内には大別して７つのガス種（ＬＰ、１３Ａ、Ｌ１、Ｌ２、Ｌ３、６Ａ、５Ｃ）があり、サービス対応として全てのガス種に対応した部品を保有している。器具栓１２を左右２種類の仕様で非共用とすると、器具栓１２の種類は１４種類となる。本発明では、器具栓１２を左右２種類の仕様で共用するようにしており、これにより鋼管の種類を２種類から４種類に増やしたとしても、器具はガス栓の７種類だけでよく、よって器具栓と鋼管併せて１１種類となり、器具栓非共用時の器具栓１４種類、鋼管２種類の計１６種類より保有部品種類を約３割削減することができる。
【００２４】
なお本実施例ではこんろ下部にグリルを有するガス調理器を例としてあげたが、グリルを有さず、左右こんろのみのガス調理器にも同様の効果が得られる。
【００２５】
（実施例２）
図６は本発明の実施例２の側断面図を示す。実施例１と異なる点は、制御基板１６を組み込んだ制御基板ケース１９を制御基板２０が器具栓１２側に向き合う方向に器具栓１２上部に設置した点である。なお、実施例１と同一符号のものは、同一構造を有し、説明は省略する。上記構成により、制御基板２０の器具上面側、すなわち右こんろ２下側は、箱状の制御基板ケース１９によって覆われる。
【００２６】
作用を説明すると、制御基板２０を、制御基板ケース１９に組み込み、かつ制御基板２０が器具栓１２側に向き合う方向に器具栓１２上部に設置した構成とすることにより、制御基板２０の器具上面側は、箱状の制御基板ケース１９によって覆われているので、右こんろ２から煮こぼれが器具内部に滴下しても、短絡等の原因となる制御基板２０への煮こぼれの滴下を防ぐことができる。
【００２７】
（実施例３）
図７は本発明の実施例３の上面要部断面図を示す。実施例２と異なる点は、制御基板ケース１９の大きさを、ガス流量調整部１６ａ、１６ｂ、１６ｃと電動駆動部１７ａ、１７ｂ、１７ｃより大きくした点である。なお、実施例２と同一符号のものは、同一構造を有し、説明は省略する。上記構成により、ガス流量調整部１６ａ、１６ｂ、１６ｃと電動駆動部１７ａ、１７ｂ、１７ｃの上面は、制御基板ケース１５によって覆われる。
【００２８】
作用を説明すると、制御基板ケース１９をガス流量調整部１６ａ、１６ｂ、１６ｃと電動駆動部１７ａ、１７ｂ、１７ｃより大きくした構成とすることにより、制御基板ケース１９がガス流量調整部１６と電動駆動部１７の器具上面側を覆うので、右こんろ２から煮こぼれが器具内部に滴下しても、腐食の原因となるガス流量調整部１６と電動駆動部１７への煮こぼれの滴下を防ぐことができる。
【００２９】
【発明の効果】
以上の説明から本発明のガス調理器によれば、次の効果が得られる。
【００３０】
対応するこんろの点火、消火、火力調節という使用者の意図を電気信号に変換する操作部と、電気信号を受け対応するこんろのガス流量制御装置を電動駆動させる制御回路と、駆動することによりガス量を変化させるガス流量制御装置を対応するこんろと同数だけ備えた器具栓と、器具栓から各こんろのバーナへガスを供給する鋼管とを備え、大バーナを左、又は右に配置する左右２種類の仕様を製造するにあたり、器具栓を共通とし、操作部と鋼管のみ変えることにより左右２種類の仕様を構成することにより、サービス対応で国内全てのガス種の器具栓を保管しても、左右２種類の仕様で器具栓を共用できることにより、保有部品の種類を減らすことができる。
【００３１】
また、制御基板を、制御基板ケースに組み込み、かつ制御基板が器具栓側に向き合う方向に器具栓上部に設置した構成とすることにより、制御基板の器具上面側は、制御基板ケースによって覆われるので、こんろから煮こぼれが器具内部に滴下しても、短絡等の原因となる制御基板への煮こぼれの滴下を防ぐことができる。
【００３２】
また、制御基板ケースを、ガス流量調整部と電動駆動部より大きくした構成とすることにより、制御基板ケースがガス流量調整部と電動駆動部の上部を覆うので、こんろからの煮こぼれが器具内部に滴下しても、腐食等の原因となるガス流量調整部及び電動駆動部への煮こぼれの滴下を防ぐことができる。
【図面の簡単な説明】
【図１】本発明のガス調理器の前面斜視図
【図２】本発明の実施例１の側断面図
【図３】本発明の実施例１の大バーナを右側に配置した上面要部断面図
【図４】本発明の実施例１の大バーナを左側に配置した上面要部断面図
【図５】本発明の実施例１の作動原理図
【図６】本発明の実施例２の側断面図
【図７】本発明の実施例３の上面要部断面図
【図８】従来のガス調理器の内部構成図
【図９】従来のガス調理器の作動原理図
【符号の説明】
１  左こんろ
２  右こんろ
４  操作部
５  大バーナ
７  中バーナ
１２  器具栓
１６  ガス流量調整部
１７  電動駆動部
１８  鋼管
１９  制御基板ケース
２０  制御基板
【図１】
0003972494.tif 000002
【図２】
0003972494.tif 000003
【図３】
0003972494.tif 000004
【図４】
0003972494.tif 000005
【図５】
0003972494.tif 000006
【図６】
0003972494.tif 000007
【図７】
0003972494.tif 000008
【図８】
0003972494.tif 000009
【図９】
0003972494.tif 000010